(57)【要約】  骨グラフト格納装置（１００）は、本体（１０２）であって、該本体の長手方向軸の周りに第１の端部（１０４）から第２の端部（１０６）に延びて本体を長手方向に貫通して延びる通路（１０８）を画定する１つ又は２つ以上の螺旋構造体（１１０）によって形成されている、本体を有する。通路はその内部に骨グラフト又は骨グラフト代替材料を受容するように構成され、１つ又は２つ以上の螺旋構造体は、標的骨の標的空間を充填するために本体が伸張、圧縮、及び湾曲のいずれかを行うことを可能にする材料で形成されている。
2019503248.tif 000002
【特許請求の範囲】
【請求項１】
骨グラフト格納装置であって、
本体であって、該本体の長手方向軸の周りに第１の端部から第２の端部に延びて前記本体を長手方向に貫通して延びる通路を画定する１つ又は２つ以上の螺旋構造体によって形成されている、本体を備え、前記通路がその内部に骨グラフト材料を受容するように構成され、前記１つ又は２つ以上の螺旋構造体は、標的骨の標的空間を充填するために前記本体が伸張、圧縮、及び湾曲のいずれかを行うことを可能にする材料で形成されている、骨グラフト格納装置。
【請求項２】
前記１つ又は２つ以上の螺旋構造体の少なくとも２つの隣り合った巻き同士を連結する固定要素受容構造体を更に備える、請求項１に記載の装置。
【請求項３】
前記固定要素受容構造体が、前記本体の長さの少なくとも一部分に沿って延びる長手方向支柱であり、隣り合った長手方向支柱間の間隔が、固定要素のシャフトを受容するように構成されている、請求項２に記載の装置。
【請求項４】
前記長手方向支柱が前記本体の前記長さに沿って中断していることにより、前記長手方向支柱が前記本体の前記長さに沿った長手方向支柱の複数の組に分割されている、請求項３に記載の装置。
【請求項５】
前記長手方向支柱が、直線状形態及び振動する波形形態のいずれかで前記本体の前記長さに沿って延びる、請求項３に記載の装置。
【請求項６】
前記固定要素受容構造体がボタンであり、各ボタンは前記１つ又は２つ以上の螺旋構造体の隣り合った巻き同士を連結し、固定要素のシャフトを受容するための、前記各ボタンを通って延びる開口部を含み、各ボタンは前記本体の長さに沿ったある距離によって、隣接するボタンから離間している、請求項２に記載の装置。
【請求項７】
前記本体が、少なくとも２つの螺旋構造体によって形成されている、請求項１に記載の装置。
【請求項８】
前記少なくとも２つの螺旋構造体の前記第１の端部を連結する第１の連結構造体と、前記少なくとも２つの螺旋構造体の前記第２の端部を連結する第２の連結構造体と、を更に備える、請求項７に記載の装置。
【請求項９】
前記少なくとも２つの螺旋構造体のうちの第１のものが前記本体の前記長手方向軸の周りの第１の方向に延び、前記少なくとも２つの螺旋構造体のうちの第２のものが前記本体の前記長手方向軸の周りの第２の方向に延び、前記第２の方向が前記第１の方向と反対である、請求項７に記載の装置。
【請求項１０】
前記第１の螺旋構造体と前記第２の螺旋構造体とは、前記第１の螺旋構造体と前記第２の螺旋構造体とが互いに交差する点において互いに連結されている、請求項９に記載の装置。
【請求項１１】
前記１つ又は２つ以上の螺旋構造体がその長さの少なくとも一部分に沿った波形形態を有することにより、前記本体が圧縮されているときに、前記１つ又は２つ以上の螺旋構造体の隣り合った巻きの前記波形形態が互いに噛み合う、請求項１に記載の装置。
【請求項１２】
前記波形形態が、前記本体の片側に沿って延びる、請求項１１に記載の装置。
【請求項１３】
前記１つ又は２つ以上の螺旋構造体が、実質的に円筒状の形状を画定する、請求項１に記載の装置。
【請求項１４】
前記１つ又は２つ以上の螺旋構造体が前記長手方向軸に垂直な平面に対してある角度をなして前記長手方向軸の周りに延びることにより、前記本体の形状が、充填される前記標的空間の形状に一致する、請求項１に記載の装置。
【請求項１５】
骨グラフトシステムであって、
グラフト格納装置であって、本体であって、該本体の長手方向軸の周りに第１の端部から第２の端部に延びて前記本体を長手方向に貫通して延びる通路を画定する１つ又は２つ以上の螺旋構造体によって形成されている、本体を含み、前記通路がその内部に骨グラフト材料を受容するように構成され、前記１つ又は２つ以上の螺旋構造体は、標的骨の標的空間を充填するために前記本体が伸張、圧縮、及び湾曲のいずれかを行うことを可能にする材料で形成されている、グラフト格納装置と、
前記グラフト格納装置を前記骨に取り付けるために前記グラフト格納装置の長さに沿って配置されるような大きさ及び形状に構成された固定プレートであって、アタッチメントは、内部を通して固定要素を受容するための、前記アタッチメントを通って延びる開口部を含む、固定プレートと、を備える、骨グラフトシステム。
【請求項１６】
前記グラフト格納装置が、前記１つ又は２つ以上の螺旋構造体の少なくとも２つの隣り合った巻き同士を連結する固定要素受容構造体を更に含む、請求項１５に記載のシステム。
【請求項１７】
前記固定要素受容構造体が、前記本体の長さの少なくとも一部分に沿って延びる長手方向支柱であり、隣り合った長手方向支柱間の間隔が、固定要素のシャフトを受容するように構成されている、請求項１６に記載のシステム。
【請求項１８】
前記固定要素受容構造体がボタンであり、各ボタンは前記１つ又は２つ以上の螺旋構造体の隣り合った巻き同士を連結し、固定要素のシャフトを受容するための、前記各ボタンを通って延びる開口部を含み、各ボタンは前記本体の長さに沿ったある距離によって、隣接するボタンから離間している、請求項１６に記載のシステム。
【請求項１９】
第１の螺旋構造体が前記本体の前記長手方向軸の周りの第１の方向に延び、第２の螺旋構造体が前記本体の前記長手方向軸の周りの第２の方向に延び、前記第２の方向が前記第１の方向と反対である、請求項１５に記載のシステム。
【請求項２０】
前記１つ又は２つ以上の螺旋構造体がその長さの少なくとも一部分に沿った波形形態を有することにより、前記本体が圧縮されているときに、前記１つ又は２つ以上の螺旋構造体の隣り合った巻きの前記波形形態が互いに噛み合う、請求項１５に記載のシステム。
【発明の詳細な説明】
【技術分野】
【０００１】
（優先権の主張）
本出願は、２０１６年１月２８日出願の米国特許仮出願第６２／２８８，２７３号に基づく優先権を主張する非仮出願である。上記出願の明細書を参照により本明細書に明示的に援用するものである。
【背景技術】
【０００２】
下顎骨の欠損は、治癒を助けるため、骨グラフト及び／又は骨プレートのようなインプラントによってしばしば治療される。骨グラフトは、様々な方法のいずれかを用いて標的領域に配置されてもよい。しかしながら、骨グラフト用の容器がない場合、グラフトが身体によって骨内に組み込まれるよりも前に標的部位から脱落するおそれがある。
【発明の概要】
【課題を解決するための手段】
【０００３】
本発明は、骨グラフト格納装置であって、本体であって、その本体の長手方向軸の周りに第１の端部から第２の端部に延びて本体を長手方向に貫通して延びる通路を画定する１つ又は２つ以上の螺旋構造体によって形成されている、本体を備え、通路がその内部に骨グラフト材料又は骨グラフト代替材料を受容するように構成され、１つ又は２つ以上の螺旋構造体は、標的骨の標的空間を充填するために本体が伸張、圧縮、及び湾曲のいずれかを行うことを可能にする材料で形成されている、骨グラフト格納装置に関する。
【０００４】
本発明はまた、骨グラフトシステムであって、グラフト格納装置であって、本体であって、その本体の長手方向軸の周りに第１の端部から第２の端部に延びて本体を長手方向に貫通して延びる通路を画定する１つ又は２つ以上の螺旋構造体によって形成されている、本体を含み、通路がその内部に骨グラフト材料を受容するように構成され、１つ又は２つ以上の螺旋構造体は、標的骨の標的空間を充填するために本体が伸張、圧縮、及び湾曲のいずれかを行うことを可能にする材料で形成されている、グラフト格納装置と、グラフト格納装置を骨に取り付けるためにグラフト格納装置の長さに沿って配置されるような大きさ及び形状に構成された固定プレートであって、アタッチメントは、内部を通して固定要素を受容するための、アタッチメントを通って延びる開口部を含む、固定プレートと、を備える、骨グラフトシステムに関する。
【０００５】
本発明はまた、骨を治療するための方法であって、骨グラフト材料をグラフト格納装置の通路内に挿入することであって、グラフト格納装置が、本体であって、その本体の長手方向軸の周りに第１の端部から第２の端部に延びて通路を画定し、標的下顎骨の標的空間を充填するためにグラフト格納装置が伸張、圧縮、及び折曲することのいずれかを行う、１つ又は２つ以上の螺旋構造体によって形成されている、本体を含む、ことと、グラフト格納装置を標的空間内に配置することと、を含む、方法にも関する。
【図面の簡単な説明】
【０００６】
【図１】本発明の例示的一実施形態に係る装置の長手方向側面図を示す。
【図２】固定プレートと共に使用されている図１の装置の斜視図を示す。
【図３】固定プレートと共に使用されている図１の装置の別の斜視図を示す。
【図４】本発明の別の例示的実施形態に係る装置の長手方向側面図を示す。
【図５】本発明の代替的一実施形態に係る装置の長手方向側面図を示す。
【図６】本発明の別の代替的実施形態に係る装置の斜視図を示す。
【図７】図６の装置の長手方向側面図を示す。
【図８】本発明の別の例示的実施形態に係る装置の長手方向側面図を示す。
【図９】伸張形態にある図６の装置の斜視図を示す。
【図１０】圧縮形態にある図６の装置の斜視図を示す。
【図１１】湾曲形態にある図６の装置の斜視図を示す。
【図１２】本発明の別の例示的実施形態に係る装置の長手方向側面図を示す。
【図１３】螺旋構造体の交点が連結されていない、図１０に係る装置の伸張状態の長手方向側面図を示す。
【図１４】螺旋構造体の交点が連結されている、図１０に係る装置の伸張状態の長手方向側面図を示す。
【図１５】本発明の更なる別の例示的実施形態に係る装置の斜視図を示す。
【図１６】図１３の装置の拡大長手方向平面図を示す。
【発明を実施するための形態】
【０００７】
本発明は、以下の説明文及び添付の図面を参照することで理解することができるが、添付の図面中、同様の要素は同じ参照符号で示されている。本発明は骨の治療に関し、詳細には骨グラフトを使用する治療に関する。本発明の例示的実施形態は、骨（例えば下顎骨）に形成された間隙又は空間内に配置されることにより、グラフト材料をその中に充填することで骨の空間内での新しい骨の生成を促し、骨の生成を案内することができるように構成されたグラフト格納ケージについて説明する。例示的な実施形態のグラフト格納装置は、装置の個々の支柱の柔軟性の向上を可能にする螺旋構造体によって形成されている。この構成により、グラフト格納装置は、装置が挿入される骨の空間に適合するよう、伸張、圧縮、及び／又は湾曲させることができる。一実施形態のグラフト格納装置は、下顎骨の欠損を治療するための大きさ、形状及び構造に構成される。例示的な実施形態は下顎骨の治療に有用なものとして示され、また説明されるが、本発明のグラフト格納装置は、グラフト格納装置の使用によって利する他の種類の骨の治療に使用することができるような異なる形状及び大きさに形成することもできる点は当業者には理解されよう。
【０００８】
図１〜３に示すように、本発明の第１の例示的な実施形態に係るグラフト格納装置１００は、第１の端部１０４から第２の端部１０６に長手方向に延び、内部を通って延びる通路１０８を含む本体１０２を備えている。本体１０２は、第１の端部１０４から第２の端部１０６に延びる少なくとも１つの螺旋構造体１１０によって形成されてもよい。装置は、螺旋構造体１１０の第１のものが装置１００の長さの一部のみに沿って延びる一方で第２の構造体１１０が装置１００の長さの全体又は一部に沿って延在するような複数の螺旋構造体を含みうる点は当業者によって理解されるであろう。螺旋構造体１１０は、装置１００の長手方向軸の周りに巻かれて装置１００の外周を形成している。構造体１１０は、通路１０８を画定する概ね螺旋状の形態で装置１００の長手方向軸の周囲に延びている。螺旋状の形態とは、長手方向軸の周りに、長手方向軸に垂直な平面に対してある角度をなして巻かれた構造体１１０の状態を一般的に指すが、装置１００の外周の形状はグラフトで置換される骨の一部分の形状にできるだけ近くなるように規定されるため、装置１００の外周の形状が厳密に螺旋状である必要はない点は当業者によって理解されよう。
【０００９】
グラフト格納装置１００の本体１０２は、グラフト格納装置１００が骨内の標的空間又は間隙に配置されるときに本体１０２が骨の外形に実質的に一致するような大きさ及び形状に構成されている。例示的な一実施形態では、本体１０２は、端部１０４、１０６のそれぞれが、骨の分離された部分の端部の対応する一方の外表面の形状に実質的に一致するように、標的骨の２つの分離された部分間に配置されるような大きさ及び形状に構成される。螺旋構造体１１０は、グラフト格納装置１００を、置換される骨の一部分の経路に沿って延びるように、長手方向に圧縮又は伸張及び／又は湾曲させることを可能にする。グラフト材料は、第１及び第２の開放端部１０４、１０６から通路１０８内に挿入することができる。これに代えるか、又はこれに加えて、グラフト材料は、螺旋構造体１１０の隣り合った巻きの間の空間１１２から通路１０８内に挿入してもよいし、グラフト格納装置１００が複数の螺旋構造体１１０を含む場合には、隣り合った螺旋構造体１１０の間の空間１１２から挿入してもよい。当業者によって理解されるように、１つ又は２つ以上の螺旋構造体１１０の隣り合った巻きを互いから離間するように動かすことにより、空間１１２を拡大することで骨グラフト材料の挿入を容易にすることができる。
【００１０】
グラフト格納装置１００の本体１０２は第１の端部１０４から第２の端部１０６へと長手方向に延び、標的骨、特に下顎骨の外表面の形状に一致した形状を概ね規定する。図１〜３に示される実施形態では、本体１０２は複数の螺旋構造体１１０によって形成されており、螺旋構造体１１０の第１の端部１０４は、第１の連結構造体１１６を介して互いに連結され、螺旋構造体１１０の第２の端部１０６は、第２の連結構造体１１８を介して互いに連結されている。螺旋構造体１１０は、グラフト格納装置１１０の長手方向軸の周りに延びて通路１０８を画定している。一実施形態では、本体１０２は実質的に円筒状であってよく、第１及び第２の連結構造体１１６、１１８はリングとして構成することができる。しかしながら、本体１０２並びに第１及び第２の連結構造体１１６、１１８は、グラフト格納装置１００が挿入される標的空間の外形に一致する様々な形状のいずれを有してもよい点は当業者には理解されよう。グラフト格納装置１００は可撓性材料で形成することができ、これにより、本体１０２が充填しようとする標的空間の正確な形状でない場合であっても、グラフト格納装置１００を曲げて変形させることで所望の標的空間に適合させることができる点もやはり当業者には理解されよう。例えば、グラフト格納装置１００は、ポリカプロラクトン（ＰＣＬ）、ポリラクチド及び／又はチタンなどの材料で形成することができる。
【００１１】
図１〜３は、上記に述べたように、複数の螺旋構造体１１０からなるグラフト格納装置１００を示しているが、図４に示すように、グラフト格納装置１００を代わりに単一の螺旋構造体１１０で形成してもよい。グラフト格納装置１００が単一の螺旋構造体１１０のみを含む場合、第１及び第２の連結構造体１１６、１１８は必要ではない。
【００１２】
更なる実施形態では、グラフト格納装置１００はまた、本体１０２の長さの少なくとも一部分に沿って延びる長手方向支柱１２０を含んでもよい。長手方向支柱１２０は、本体１０２の全体又は一部を強化及び／又は補強し、かつ／又は固定要素１５２を挿入するうえで有用となりうる。例えば、グラフト格納装置１００は、骨の分離された部分を整列させるために使用することができる、図２及び図３に示されるような固定プレート１５０又は他のアタッチメントと共に使用することができる。固定プレート１５０は、グラフト格納装置１００及び骨の分離された部分に固定されることで、骨の分離された部分及び装置１００を標的位置に維持するブリッジを形成することができる。固定プレート１５０は、固定プレートの開口部から隣り合った長手方向支柱１２０間の空間１２２に挿入されたねじによってグラフト格納装置１００に固定することができる。このため、グラフト格納装置１００は少なくとも２本の長手方向支柱１２０を有する必要がある。例示的な一実施形態では、グラフト格納装置１００は４本の長手方向支柱１２０を含むことができる。しかしながら、グラフト格納装置１００は任意の数の長手方向支柱１２０を含みうる点は当業者には理解されよう。当業者には理解されるように、支柱１２０はグラフト材料を装置１００内に保持する助けとなるように所望のとおりに配置することができる。例えば、骨が片側が下に向いた向きを概ね有する特定の用途では（例えば下顎骨）、重力の影響によって材料が装置１００の外に移動することを防止するために支柱１２０を底部に沿って配置することができる。
【００１３】
例示的な一実施形態では、長手方向支柱１２０は本体１０２の全長に沿って延びる。この実施形態では、長手方向支柱１２０は、グラフト格納装置１００の長さが伸張又は圧縮されることを防止する一方で、本体１０２を長手方向軸に対して折り曲げる又は屈曲させることは可能にする。別の例示的な実施形態では、図５に示されるように、長手方向支柱１２０’はグラフト格納装置１００’の本体１０２’の長さに沿って中断していてよく、そのため、装置１００’は本体１０２’の長さに沿って複数の長手方向支柱１２０’の組１２１’を含む。長手方向支柱１２０’の各組１２１’は、１つ又は２つ以上の螺旋構造体１１０’の隣り合った複数の巻きに沿って延び、１つ又は２つ以上の螺旋構造体１１０’の隣り合った複数の巻きによって隣りの組１２１’の長手方向支柱１２０’から分離されている。中断した長手方向支柱１２０’は、グラフト格納装置１００’を本体１０２’の長さに沿った特定の位置で伸張及び／又は圧縮することを可能にする。詳細には、本体１０２’の長手方向支柱１２０’が含まれていない部分、すなわち長手方向支柱１２０’の組１２１’が互いから離間した部分において、本体１０２’を伸張及び／又は圧縮させることができる。
【００１４】
装置１００、１００’は、長手方向支柱１２０、１２０’を、本体１０２、１０２’の長さの少なくとも一部分に沿って実質的に直線状（例えば実質的に直線に沿って）延びるものとしてそれぞれ示しているが、支柱は、数多くの形態のいずれかで本体の長さの少なくとも一部分に沿って長手方向に延びてもよい点は当業者には理解されよう。例えば、別の例示的な実施形態によれば、図６及び図７に示すように、上記に述べた装置１００、１００’と実質的に同様のものとすることができるグラフト格納装置１００”の本体１０２”は、振動する波形形態（例えば、正弦波状）で本体１０２”に沿って長手方向に延びる複数の支柱１２０”を含むことができる。支柱１２０”の波形形態により、本体１０２”を強化しながら本体１０２”のすべての軸方向における可撓性を与えることもできる。これにより、図６〜７に示されるように、支柱１２０”が本体１０２”の全長に沿って延びている場合であっても、骨の標的空間に適合するように、必要に応じて本体１０２”を伸張及び／又は圧縮させることができる。上記に述べた装置１００、１００’と同様、隣り合った支柱１２０”間に固定要素を挿入することによって固定プレート又は他のアタッチメントをこれに取り付けることができる。支柱１２０”は本体１０２”の全長に沿って延びているものとして示されているが、支柱１２０”は、本体１００’と同様、本体の長さに沿って中断していてもよい。
【００１５】
例示的な一方法によれば、グラフト格納装置１００の通路１０８は、グラフト格納装置１０８を標的空間又は標的骨（特に下顎骨）の標的空間又は間隙内に配置するのに先立って、第１及び／又は第２の端部１０４、１０６からグラフト材料で充填することができる。上記に述べたように、骨の分離された２つの部分の間に空間又は間隙があってよく、そのため、グラフト格納装置１００はこれらの分離された２つの部分同士を連結するブリッジとして機能する。また、グラフト格納装置１００を骨の一端において空間内に配置することもでき、その場合グラフト格納装置１００の一端のみが骨に接触し、又は、グラフト格納装置１００を骨内に形成された凹部内に配置することもでき、その場合、グラフト格納装置１００はその３つの面に沿って骨と接触する。以下の例示的な方法では、グラフト格納装置１００を使用して骨の分離された部分間の空間を充填することについて述べているが、グラフト格納装置１００は骨に形成された様々な空間又は間隙のいずれを充填するために使用することもできる点は当業者には理解されよう。グラフト格納装置１００は、必要に応じて、伸張（すなわち、１つ又は２つ以上の螺旋構造体１１０の隣り合った巻きの間の空間１１２が大きくなるよう、第１の端部１０４と第２の端部１０６とを互いから引き離すことにより長さを大きくする）、圧縮（すなわち、１つ又は２つ以上の螺旋構造体１１０の隣り合った巻きの間の空間１１２が小さくなるよう、第１の端部１０４と第２の端部１０６とを互いに向かって動かすことにより長さを小さくする）、及び／又は湾曲（すなわちその長手方向軸に沿って曲げる）させることによって、骨の標的空間に適合させることができる。上記に述べたように、長手方向支柱１２０が本体１０２の全長に沿って延びている場合には、グラフト格納装置１００は標的空間に適合するように曲げるか又は湾曲させるだけでよい。グラフト格納装置１００の本体１０２の長さが標的空間に対して長すぎる場合、外科医又は他の使用者は、本体１０２を所望の長さに切断することができる。しかしながら、グラフト格納装置１００’の長さに沿って中断している長手方向支柱１２０’は、標的空間に適合するように伸張及び／又は圧縮することができる。同様に、振動する波形形態を有する支柱１２０”も、必要に応じて伸張、圧縮、及び／又は湾曲させることができる。
【００１６】
グラフト格納装置１００が標的空間内に配置された後、必要に応じて、更なるグラフト材料を、１つ又は２つ以上の螺旋構造体１１０の隣り合った螺旋巻き間の空間１１２から通路１０８内に充填することができる。その後、グラフト格納装置１００を、骨の分離された部分間にブリッジを形成することができるか、及び／又はそれらの部分を整列させることができる固定プレート１５０又は他のアタッチメントによって骨に固定することができる。固定プレート１５０は、固定プレート１５０を貫通する開口部１５４が長手方向支柱１２０と実質的に一致するように、グラフト格納装置１００の長さに沿って配置することができる。固定プレート１５０の第１及び第２の端部１５６、１５８はグラフト格納装置１００の第１及び第２の端部１０４、１０６をそれぞれ越えて延びてよく、これにより、固定プレート１５０の第１及び第２の端部１５６、１５８が骨の分離された部分上に延びるため、プレート１５０をグラフト格納装置１００及び骨の分離された部分の両方に固定することができる。詳細には、固定要素１５２を固定プレート１５０の開口部１５４及び隣り合った長手方向支柱１２０間の空間１２２を通して挿入することにより、固定プレート１５０をグラフト格納装置１００に固定することができる。同様に、固定要素１５２を固定プレートの骨上に延びる部分に沿って開口部１５４を通して挿入することにより、固定プレート１５０を骨に固定することができる。上記の例示的な方法ではグラフト格納装置１００の配置及び使用について述べているが、装置１００’及び１００”も同様に配置及び使用することができる点は当業者には理解されよう。
【００１７】
図８〜１１に示されるように、グラフト格納装置２００は上記に述べたような装置１００と実質的に同様のものであってよく、第１の端部２０４から第２の端部２０６に延びて長手方向に貫通する通路２０８を画定する１つ又は２つ以上の螺旋構造体２１０によって形成されている本体２０２を備えている。本体２０２は、装置１００に関して上記に述べた本体１０２と実質的に同様であってよい。しかしながら、グラフト格納装置２００は、長手方向支柱の代わりに複数のボタン２２０を含んでよく、各ボタン２２０は、１つ又は２つ以上の螺旋構造体２１０の隣り合った巻き同士を連結している。ボタン２２０の１つ又は２つ以上のものは、例えば骨ねじなどの骨固定要素のシャフトを受容するための、ボタンを通って延びる開口部２２２を含むことができ、これにより、固定プレート又は他のアタッチメントをグラフト格納装置２００に固定することができる。複数のボタン１２０のそれぞれは、本体２０２の長さに沿って互いから離間していてよい。例えば、ボタン２２０は、螺旋構造体２１０の隣り合った巻きの間に交互に配置することができる。しかしながら、グラフト格納装置２００は、ボタン２２０のそれぞれが本体２０２の長さに沿って任意の所望の距離で互いから離間した、任意の数のボタン２２０を含むことができる。隣接するボタン２２０間の間隔のため、グラフト格納装置２００を伸張（図９に示される）、圧縮（図１０に示される）、及び／又は屈曲（図１１に示される）させて、標的骨内、又は標的骨の分離された部分間の標的空間を充填することが可能である。グラフト格納装置２００は、上記に述べた装置１００と実質的に同様の方法で使用することができる。
【００１８】
グラフト格納装置１００、２００は、装置１００、２００の長手方向軸の周りの一方向にその長さに沿って延びる１つ又は２つ以上の螺旋構造体を有するものとして示されているが、本発明に係るグラフト格納装置は、その長手方向軸の周りの反対方向に延びる螺旋構造体を代わりに有することもできる点は当業者に理解されよう。第１の螺旋構造体は第１の方向に長手方向軸の周りに延びてよく、第２の螺旋構造体は第１の方向と反対の第２の方向に長手方向軸の周りに延びることができる。
【００１９】
例えば、図１２〜１４に示されるように、グラフト格納装置３００は上記に述べたような装置１００、２００と実質的に同様のものであってよく、第１の端部３０４から第２の端部３０６に延びて通路３０８を画定する螺旋構造体３１０によって形成されている本体３０２を備えている。しかしながら、第１の螺旋構造体３１０ａが本体３０２の長手方向軸の周りに第１の方向に延びているのに対して、第２の螺旋構造体３１０ｂは長手軸の周りに第１の方向の反対の第２の方向に延びており、すなわち、第１及び第２の構造体３１０、３２０の螺旋の角度は傾斜して、それらが交差する点でＶ字形状を形成している。装置１００、２００と同様、螺旋構造体３１０の第１の端部３０４同士は、例えばリングとして構成することができる第１の連結構造体３１６を介して互いに連結することができる。螺旋構造体３１０の第２の端部３０６同士は、例えばリングとして構成することができる第２の連結構造体３１８を介して互いに連結することができる。グラフト格納装置３００は２個の螺旋構造体３１０で構成されるものとして示され、説明されているが、グラフト格納装置３００は、螺旋構造体３１０のうちの少なくとも２つが本体３０２の長さに沿って互いに反対方向に延びている限り、必要に応じて、２個よりも多い螺旋構造体３１０を含むことができる点は当業者には理解されよう。
【００２０】
例示的な一実施形態では、図１３に示されるように、複数の螺旋構造体３１０は自由に延びており、螺旋構造体３１０同士はそれぞれ、第１及び第２の端部３０４、３０６において第１及び第２の連結構造体３１６、３１８によって連結されている以外は互いに連結されていない。別の例示的な実施形態では、図１４に示されるように、螺旋構造体３１０同士は、第１の螺旋構造体３１０ａと第２の螺旋構造体３１０ｂとが互いに交差する１つ又は２つ以上の点３１４において連結されてもよい。螺旋構造体３１０同士は、各交点３１４で連結されてもよいし、あるいは必要に応じて特定の交点３１４で連結されてもよい。
【００２１】
図には示されていないが、グラフト格納装置３００は例えば、装置１００に関して上記に述べた長手方向支柱１２０又は装置２００に関して上記に述べたボタン２２０のような、固定要素を受容するための構造体又は機構を含んでもよい点は当業者には理解されよう。例示的な一実施形態では、ボタン２２０が交点３１４において連結部として機能してもよい。
【００２２】
例えば、図１５〜１６に示されるように、本発明の別の例示的実施形態に係る装置４００は上記に述べたような装置１００〜３００と実質的に同様のものであってよく、第１の端部４０４から第２の端部４０６に延びて通路４０８を画定する螺旋構造体４１０によって形成されている本体４０４を備えている。しかしながら、螺旋構造体４１０は、波形形態４１１を有する部分を含むことができる。波形形態４１１は、螺旋構造体４１０の部分に沿って本体４０２の片側に沿って延びることができる。あるいは、波形形態４１１は、螺旋構造体４１０の全体に沿って延びていてもよい。
【００２３】
波形形態４１１は、通路４０８内に受容されるグラフト材料のより効果的な保持を与えることができる。加えて、波形形態４１１は、グラフト格納装置４００が圧縮されるときに互いに噛み合い、グラフト格納装置４００に剛性を与えることができる。螺旋構造体４１０は、波形形態の部分が噛み合っている場合でも、隣り合った巻き同士を互いから離れるように動かしてその間の空間４１２を広げることにより、螺旋構造体４１０の隣り合った巻きの間の空間４１２から通路４０８内にグラフト材料を充填することができるように構成されている。
【００２４】
本発明の趣旨又は範囲から逸脱することなく本発明の構造及び方法に様々な改変及び変更を行うことが可能である点は当業者であれば理解されるであろう。したがって、本発明の改変及び変更が、添付の特許請求の範囲及びその均等物の範囲内に含まれるものであれば、本発明はそれらを包含するものとする。
【００２５】
〔実施の態様〕
（１）  骨グラフト格納装置であって、
本体であって、該本体の長手方向軸の周りに第１の端部から第２の端部に延びて前記本体を長手方向に貫通して延びる通路を画定する１つ又は２つ以上の螺旋構造体によって形成されている、本体を備え、前記通路がその内部に骨グラフト材料を受容するように構成され、前記１つ又は２つ以上の螺旋構造体は、標的骨の標的空間を充填するために前記本体が伸張、圧縮、及び湾曲のいずれかを行うことを可能にする材料で形成されている、骨グラフト格納装置。
（２）  前記１つ又は２つ以上の螺旋構造体の少なくとも２つの隣り合った巻き同士を連結する固定要素受容構造体を更に備える、実施態様１に記載の装置。
（３）  前記固定要素受容構造体が、前記本体の長さの少なくとも一部分に沿って延びる長手方向支柱であり、隣り合った長手方向支柱間の間隔が、固定要素のシャフトを受容するように構成されている、実施態様２に記載の装置。
（４）  前記長手方向支柱が前記本体の前記長さに沿って中断していることにより、前記長手方向支柱が前記本体の前記長さに沿った長手方向支柱の複数の組に分割されている、実施態様３に記載の装置。
（５）  前記長手方向支柱が、直線状形態及び振動する波形形態のいずれかで前記本体の前記長さに沿って延びる、実施態様３に記載の装置。
【００２６】
（６）  前記固定要素受容構造体がボタンであり、各ボタンは前記１つ又は２つ以上の螺旋構造体の隣り合った巻き同士を連結し、固定要素のシャフトを受容するための、前記各ボタンを通って延びる開口部を含み、各ボタンは前記本体の長さに沿ったある距離によって、隣接するボタンから離間している、実施態様２に記載の装置。
（７）  前記本体が、少なくとも２つの螺旋構造体によって形成されている、実施態様１に記載の装置。
（８）  前記少なくとも２つの螺旋構造体の前記第１の端部を連結する第１の連結構造体と、前記少なくとも２つの螺旋構造体の前記第２の端部を連結する第２の連結構造体と、を更に備える、実施態様７に記載の装置。
（９）  前記少なくとも２つの螺旋構造体のうちの第１のものが前記本体の前記長手方向軸の周りの第１の方向に延び、前記少なくとも２つの螺旋構造体のうちの第２のものが前記本体の前記長手方向軸の周りの第２の方向に延び、前記第２の方向が前記第１の方向と反対である、実施態様７に記載の装置。
（１０）  前記第１の螺旋構造体と前記第２の螺旋構造体とは、前記第１の螺旋構造体と前記第２の螺旋構造体とが互いに交差する点において互いに連結されている、実施態様９に記載の装置。
【００２７】
（１１）  前記１つ又は２つ以上の螺旋構造体がその長さの少なくとも一部分に沿った波形形態を有することにより、前記本体が圧縮されているときに、前記１つ又は２つ以上の螺旋構造体の隣り合った巻きの前記波形形態が互いに噛み合う、実施態様１に記載の装置。
（１２）  前記波形形態が、前記本体の片側に沿って延びる、実施態様１１に記載の装置。
（１３）  前記１つ又は２つ以上の螺旋構造体が、実質的に円筒状の形状を画定する、実施態様１に記載の装置。
（１４）  前記１つ又は２つ以上の螺旋構造体が前記長手方向軸に垂直な平面に対してある角度をなして前記長手方向軸の周りに延びることにより、前記本体の形状が、充填される前記標的空間の形状に一致する、実施態様１に記載の装置。
（１５）  骨グラフトシステムであって、
グラフト格納装置であって、本体であって、該本体の長手方向軸の周りに第１の端部から第２の端部に延びて前記本体を長手方向に貫通して延びる通路を画定する１つ又は２つ以上の螺旋構造体によって形成されている、本体を含み、前記通路がその内部に骨グラフト材料を受容するように構成され、前記１つ又は２つ以上の螺旋構造体は、標的骨の標的空間を充填するために前記本体が伸張、圧縮、及び湾曲のいずれかを行うことを可能にする材料で形成されている、グラフト格納装置と、
前記グラフト格納装置を前記骨に取り付けるために前記グラフト格納装置の長さに沿って配置されるような大きさ及び形状に構成された固定プレートであって、アタッチメントは、内部を通して固定要素を受容するための、前記アタッチメントを通って延びる開口部を含む、固定プレートと、を備える、骨グラフトシステム。
【００２８】
（１６）  前記グラフト格納装置が、前記１つ又は２つ以上の螺旋構造体の少なくとも２つの隣り合った巻き同士を連結する固定要素受容構造体を更に含む、実施態様１５に記載のシステム。
（１７）  前記固定要素受容構造体が、前記本体の長さの少なくとも一部分に沿って延びる長手方向支柱であり、隣り合った長手方向支柱間の間隔が、固定要素のシャフトを受容するように構成されている、実施態様１６に記載のシステム。
（１８）  前記固定要素受容構造体がボタンであり、各ボタンは前記１つ又は２つ以上の螺旋構造体の隣り合った巻き同士を連結し、固定要素のシャフトを受容するための、前記各ボタンを通って延びる開口部を含み、各ボタンは前記本体の長さに沿ったある距離によって、隣接するボタンから離間している、実施態様１６に記載のシステム。
（１９）  第１の螺旋構造体が前記本体の前記長手方向軸の周りの第１の方向に延び、第２の螺旋構造体が前記本体の前記長手方向軸の周りの第２の方向に延び、前記第２の方向が前記第１の方向と反対である、実施態様１５に記載のシステム。
（２０）  前記１つ又は２つ以上の螺旋構造体がその長さの少なくとも一部分に沿った波形形態を有することにより、前記本体が圧縮されているときに、前記１つ又は２つ以上の螺旋構造体の隣り合った巻きの前記波形形態が互いに噛み合う、実施態様１５に記載のシステム。
【図１】
2019503248.tif 000003
【図２】
2019503248.tif 000004
【図３】
2019503248.tif 000005
【図４】
2019503248.tif 000006
【図５】
2019503248.tif 000007
【図６】
2019503248.tif 000008
【図７】
2019503248.tif 000009
【図８】
2019503248.tif 000010
【図９】
2019503248.tif 000011
【図１０】
2019503248.tif 000012
【図１１】
2019503248.tif 000013
【図１２】
2019503248.tif 000014
【図１３】
2019503248.tif 000015
【図１４】
2019503248.tif 000016
【図１５】
2019503248.tif 000017
【図１６】
2019503248.tif 000018
【国際調査報告】
2019503248.tif 000019
2019503248.tif 000020